(57)【要約】【課題】商品情報を提供する方法を開示する。【解決手段】方法は、サーバによって、ウェブページアクセス要求を受け取ることと、サーバによって、受け取ったウェブページアクセス要求に基づく対象のウェブページを提供することと、を備えてもよい。対象のウェブページは、同一の商品群の少なくとも二つの商品についての情報を提示する対象情報提示位置を備えてもよく、商品群は、予め決定された特質の属性値の異なる少なくとも二つの同様な商品を備えてもよい。【選択図】図１
2018538636.tif 000002
【特許請求の範囲】
【請求項１】
商品情報を提供する方法であって、
サーバによって、ウェブページアクセス要求を受け取ることと、
前記サーバによって、受け取ったウェブページアクセス要求に基づく対象のウェブページを提供することと、
を備え、
前記対象のウェブページは、同じ商品群の少なくとも二つの商品についての情報を提示する対象情報提示位置を備え、
前記商品群は、予め決定された特質の属性値が異なる少なくとも二つの同様な商品を備える方法。
【請求項２】
前記対象のウェブページを提供することは、
前記予め決定された特質の前記属性値のみが異なる少なくとも二つの商品を備える少なくとも一つの商品群を格納するために商品情報データベースを用いることと、
前記対象のウェブページを提示するための要求の受信に応答して、前記対象のウェブページの前記対象情報提示位置に関連した対象商品群を決定することと、
前記対象商品群の商品についての情報に従って前記対象のウェブページのウェブページデータを生成することと、
を備える請求項１に記載の方法。
【請求項３】
前記商品情報データベースは、前記商品群の名称と、各商品のタイトルの前記予め決定された特質の属性値を記述する対象テキストと、を更に格納し、
前記商品群の名称を、前記商品群の全ての商品のタイトルの同じ部分に従って決定し、
前記対象情報提示位置は、名称提示バーと、複数の情報提示サブ位置と、を備え、
前記対象商品の名称及び対象テキストを決定することと、
前記対象情報提示位置の情報提示バーの前記対象商品群の名称を提示することと、
前記情報提示サブ位置において、前記商品群の商品の表示画像と、前記対象テキストのみを含むタイトルと、を提示することと、
を更に備える請求項２に記載の方法。
【請求項４】
前記予め決定された特質は、色属性以外の知覚属性特質を備え、
前記商品情報データベースは、前記商品群の各商品の識別子、テキスト及び色の間の対応関係を更に格納し、
前記テキストは、前記商品のタイトルの知覚属性値を記述し、
前記色は、前記知覚属性値を表し、
前記対象商品群の各商品に対応する提示色を決定することと、
前記情報提示サブ位置において、前記対応する提示色の前記対象商品を提示することと、
を更に備える請求項３に記載の方法。
【請求項５】
前記予め決定された特質は、包装容積特質を備える請求項３に記載の方法。
【請求項６】
商品情報を提供する方法であって、
クライアントによって、ウェブページアクセス要求をサーバに送り出すことと、
前記サーバからウェブページデータを受け取ることと、
前記サーバによって、受け取ったウェブページデータに基づく対象のウェブページを提示することと、
を備え、
前記対象のウェブページは、同じ商品群の少なくとも二つの商品についての情報を提示する対象情報提示位置を備え、
前記商品群の少なくとも二つの商品は、予め決定された特質の属性値が異なる方法。
【請求項７】
商品情報データベースは、前記サーバに格納され、
前記商品情報データベースは、予め決定された条件を満たす少なくとも二つの商品を備える少なくとも一つの商品群を格納し、
前記少なくとも二つの商品は、前記予め決定された特質の属性値のみが異なり、
前記サーバは、前記ウェブページアクセス要求に基づいて、前記対象のウェブページの前記対象情報提示位置に関連した対象情報群を決定し、前記対象商品群の商品についての情報に従って前記対象のウェブページの前記ウェブページデータを生成し、前記ウェブページデータを前記クライアントに返す請求項６に記載の方法。
【請求項８】
商品情報データベースを確立する方法であって、
予め決定された特質の異なる属性値を有する品物を異なるフロントエンド商品として発行することと、
前記商品から、予め決定された条件を満たす少なくとも二つの商品を備える商品群を決定することであって、同じ商品群の前記少なくとも二つの商品は、前記予め決定された特質の前記属性値が異なることと、
商品情報データベースを生成するために各商品群の商品の識別情報を格納し、商品情報リストをウェブページに提示するときに前記同じ商品群の商品を同じ情報提示位置に提示させることと、
を備える方法。
【請求項９】
前記予め決定された特質は、色属性以外の知覚属性特質を備える請求項８に記載の方法。
【請求項１０】
商品の知覚属性値と、前記商品のタイトルの前記知覚属性値を記述する対象テキストと、を決定することと、
前記知覚属性値に対応する提示色を決定することと、
前記商品の識別子、前記対象テキスト及び前記提示色の間の対応関係を、前記商品情報データベースに格納し、前記同じ商品群を提示するときに異なる提示色属性以外の知覚属性値の商品に対応する対象テキストを異なる提示色で提示することと、
を更に備える請求項９に記載の方法。
【請求項１１】
前記予め決定された特質は、包装容積特質を備える請求項８に記載の方法。
【請求項１２】
前記商品から、予め決定された条件を満たす少なくとも二つの商品を備える商品群を決定することは、
前記商品のタイトルから、前記予め決定された特質の各商品の属性値を抽出することと、
前記予め決定された特質の前記属性値の情報を除去した後の前記商品のタイトルの残りの部分を比較して、前記商品のタイトルの残りの部分が同じである少なくとも二つの商品を前記予め決定された条件を満たすものとして決定することと、
を備える請求項８に記載の方法。
【請求項１３】
前記商品群の全ての商品のタイトルの同じ部分に従って前記商品群の名称を決定することと、
前記商品群の名称と、各商品のタイトルの予め決定された特質の前記属性値を記述する対象テキストと、を前記商品情報データベースに格納し、前記同じ商品群の商品を提示するときに前記商品群の名称を提示するとともに異なる商品を前記対象テキストによって区別することと、
を更に備える請求項１２に記載の方法。
【請求項１４】
商品情報を提供する装置であって、
ウェブページアクセス要求を受け取るように構成された要求受取部と、
受け取ったウェブページアクセス要求に基づく対象のウェブページを提示し、前記対象のウェブページは、同じ商品群の少なくとも二つの商品についての情報を提示する対象情報提示位置を備え、前記商品群は、予め決定された特質の属性値が異なる少なくとも二つの同様な商品を備えるように構成されたウェブページデータ提供部と、
を備える装置。
【請求項１５】
前記ウェブページデータ提供部は、
前記予め決定された特質の前記属性値のみが異なる少なくとも二つの商品を備える少なくとも一つの商品群を格納するために商品情報データベースを用いるように構成されたデータベース格納サブユニットと、
前記対象のウェブページを提示するための要求の受信に応答して、前記対象のウェブページの前記対象情報提示位置に関連した対象商品群を決定するように構成された対象商品群決定サブユニットと、
前記対象商品群の商品についての情報に従って前記対象のウェブページのウェブページデータを生成するように構成されたウェブページデータ生成サブユニットと、
を備える請求項１４に記載の装置。
【請求項１６】
前記商品情報データベースは、前記商品群の名称と、各商品のタイトルの前記予め決定された特質の属性値を記述する対象テキストと、を更に格納し、
前記商品群の名称を、前記商品群の全ての商品のタイトルの同じ部分に従って決定し、
前記対象情報提示位置は、名称提示バーと、複数の情報提示サブ位置と、を備え、
前記ウェブページデータ提供部は、
前記対象商品の名称と、各物品に対応する対象テキストと、を決定するように構成された物品群名決定サブユニットと、
前記対象情報提示位置の情報提示バーの前記対象商品群の名称を提示するように構成された群名提示サブユニットと、
前記情報提示サブ位置において、前記商品群の商品の表示画像と、前記対象テキストを含むタイトルと、を提示するように構成されたタイトル提示サブユニットと、
を更に備える請求項１５に記載の装置。
【請求項１７】
前記予め決定された特質は、色属性以外の知覚属性特質を備え、
前記商品情報データベースは、前記商品群の各商品の識別子、テキスト及び色の間の対応関係を更に格納し、前記テキストは、前記商品のタイトルの知覚属性値を記述し、前記色は、前記知覚属性値を表し、
前記ウェブページデータ提供部は、
前記対象商品群の各商品に対応する提示色を決定するように構成された色情報決定サブユニットと、
前記情報提示サブ位置において、前記対応する提示色の前記対象商品を提示するように構成された色提示サブユニットと、
を更に備える請求項１５に記載の装置。
【請求項１８】
前記予め決定された特質は、包装容積特質を備える請求項１５に記載の装置。
【請求項１９】
商品情報を提供する装置であって、
ウェブページアクセス要求をサーバに送り出すように構成された要求送出部と、
前記サーバからウェブページデータを受け取るとともに受け取ったウェブページデータに基づく対象のウェブページを提示するように構成されたウェブページデータ受取部と、
を備え、
前記対象のウェブページは、同じ商品群の少なくとも二つの商品についての情報を提示する対象情報提示位置を備え、
前記商品群の少なくとも二つの商品は、予め決定された特質の属性値が異なる装置。
【請求項２０】
商品情報データベースは、前記サーバに格納され、
前記商品情報データベースは、予め決定された条件を満たす少なくとも二つの商品を備える少なくとも一つの商品群を格納し、
前記少なくとも二つの商品は、前記予め決定された特質の属性値のみが異なり、
前記サーバは、前記ウェブページアクセス要求に基づいて、前記対象のウェブページの前記対象情報提示位置に関連した対象情報群を決定し、前記対象商品群の商品についての情報に従って前記対象のウェブページの前記ウェブページデータを生成し、前記ウェブページデータを前記クライアントに返す請求項１９に記載の装置。
【発明の詳細な説明】
【技術分野】
【０００１】
この出願は、２０１５年１２月２３日に出願された中国特許出願公開第２０１５／１０９８３０４７．９号明細書に基づくとともにその優先権の利益を主張し、全体の内容を、参照によりここに組み込む。
【０００２】
本開示は、一般的には、コンピュータ技術に関し、特に、商品情報を提供する方法、システム及び装置に関する。
【背景技術】
【０００３】
電子商取引プラットフォームにおいて、種々の商品情報は、通常、ウェブページにある。そのような情報は、一般的には、画像（ｐｉｃｔｕｒｅ）、オーディオ、ビデオ又はテキストのような種々のタイプのウェブページ要素（ｗｅｂｐａｇｅ  ｅｌｅｍｅｎｔｓ）を含む。消費者は、商品の色、形状、種類及び他の視覚属性を画像から知ることができる。楽器のような一部の商品が聴覚属性を有する場合、聴覚属性を消費者に示すためにオーディオ又はビデオをウェブページに組み込むこともできる。他の態様の属性及び更に詳しい情報を、例えば、消費者が特質、材質及び使用法を知ることができるテキスト情報を用いて説明することができる。したがって、ウェブページに提示された商品情報は、顧客による商品の理解を深めることができるとともに商品の購入決定に役立つことができる。
【０００４】
ユーザの数が連続的に増加するに従って、種々の電子商取引プラットフォームは、それ自体の主要チャネル（ｆｅａｔｕｒｅｄ  ｃｈａｎｎｅｌ）を展開してきた。例えば、アリババ社のＴｍａｌｌプラットフォームは、Ｔｍａｌｌグローバルチャネル及びＴｍａｌｌスーパーマーケットチャネルを展開してきた。「スーパーマーケット」チャネルは、主に、実在のスーパーマーケットの商品と共通する生活必需品及び食品を販売する。「スーパーマーケット」チャネルは、消費者がスーパーマーケットにおける買い物をオンラインで体験することができるようにし、したがって、消費者にとって非常に魅力的である。
【発明の概要】
【発明が解決しようとする課題】
【０００５】
更に多くのカテゴリー及びブランドの商品の提供に加えて、開発者及びデザイナーは、オンラインの買い物客が実際のスーパーマーケットで買い物していると感じるように実際のスーパーマーケット環境をまねるウェブページ提示効果を常時向上させる必要がある。このために、商品情報の効果的な利用を向上させることも重要である。
【課題を解決するための手段】
【０００６】
本開示の一態様は、商品情報を提供する方法を対象とする。方法は、サーバによって、ウェブページアクセス要求を受け取ることと、サーバによって、受け取ったウェブページアクセス要求に基づく対象のウェブページを提供することと、を備えてもよい。対象のウェブページは、同じ商品群の少なくとも二つの商品についての情報を提示する対象情報提示位置を備えてもよく、商品群は、予め決定された特質の属性値が異なる少なくとも二つの同様な商品を備えてもよい。
【０００７】
本開示の他の態様は、商品情報を提供する方法を対象とする。方法は、クライアントによって、ウェブページアクセス要求をサーバに送り出すことと、サーバからウェブページデータを受け取ることと、サーバによって、受け取ったウェブページデータに基づく対象のウェブページを提示することと、を備えてもよい。対象のウェブページは、同じ商品群の少なくとも二つの商品についての情報を提示する対象情報提示位置を備えてもよく、商品群の少なくとも二つの商品は、予め決定された特質の属性値が異なってもよい。
【０００８】
本開示の他の態様は、商品情報データベースを確立する方法を対象とする。方法は、予め決定された特質の異なる属性値を有する品物を異なるフロントエンド商品として発行することと、商品から、予め決定された条件を満たす少なくとも二つの商品を備える商品群を決定することであって、同じ商品群の少なくとも二つの商品は、予め決定された特質の属性値が異なることと、商品情報データベースを生成するために各商品群の商品の識別情報を格納し、商品情報リストをウェブページに提示するときに同じ商品群の商品を同じ情報提示位置に提示させることと、を備えてもよい。
【０００９】
本開示の他の態様は、商品情報を提示するウェブページを対象とする。ウェブページは、同じ商品群の少なくとも二つの商品についての情報を提示する対象情報提示位置を備えてもよい。商品群は、予め決定された特質の属性値の異なる少なくとも二つの同様な商品を備えてもよい。
【００１０】
本開示の他の態様は、商品情報を提供する装置を対象とする。装置は、ウェブページアクセス要求を受け取るように構成された要求受取部と、受け取ったウェブページアクセス要求に基づく対象のウェブページを提示するように構成されたウェブページデータ提供部であって、対象のウェブページは、同じ商品群の少なくとも二つの商品についての情報を提示する対象情報提示位置を備え、商品群は、予め決定された特質の属性値が異なる少なくとも二つの同様な商品を備えるウェブページデータ提供部と、を備えてもよい。
【００１１】
本開示の他の態様は、商品情報を提供する装置を対象とする。装置は、ウェブページアクセス要求をサーバに送り出すように構成された要求送出部と、サーバからウェブページデータを受け取るとともに受け取ったウェブページデータに基づく対象のウェブページを提示するように構成されたウェブページデータ受取部と、を備えてもよい。対象のウェブページは、同じ商品群の少なくとも二つの商品についての情報を提示する対象情報提示位置を備えてもよく、商品群の少なくとも二つの商品は、予め決定された特質の属性値が異なってもよい。
【００１２】
本開示の他の態様は、商品情報データベースを確立する装置を対象とする。装置は、
予め決定された特質の異なる属性値を有する品物を異なるフロントエンド商品として発行するように構成された商品発行部と、商品から、予め決定された条件を満たす少なくとも二つの商品を備える商品群を決定するように構成された商品群決定部であって、同じ商品群の少なくとも二つの商品は、予め決定された特質の属性値が異なる商品群決定部と、商品情報データベースを生成するために各商品群の商品の識別情報を格納するように構成された情報格納部であって、商品情報リストをウェブページに提示するときに同じ商品群の商品を同じ情報提示位置に提示させる情報格納部と、を備えてもよい。
【００１３】
上述した概要及び後述する詳細な説明が例示及び説明のためのみのものであり、特許請求の範囲の発明を限定するものではないことを理解すべきである。
【００１４】
開示の一部を構成するとともに複数の実施の形態を説明する添付図面は、記載と共に、開示した原理を説明する役割を果たす。
【図面の簡単な説明】
【００１５】
【図１】本開示の例示的な実施の形態に一致する商品情報を提供する第１の方法を示すフローチャートである。
【図２】本開示の例示的な実施の形態に一致する商品情報を提供するウェブページを示す模式図である。
【図３】本開示の例示的な実施の形態に一致する商品情報を提供する第２の方法を示すフローチャートである。
【図４】本開示の例示的な実施の形態に一致する商品情報を提供する第３の方法を示すフローチャートである。
【図５】本開示の例示的な実施の形態に一致する商品情報を提供する第１の装置を示す模式図である。
【図６】本開示の例示的な実施の形態に一致する商品情報を提供する第２の装置を示す模式図である。
【図７】本開示の例示的な実施の形態に一致する商品情報を提供する第３の装置を示す模式図である。
【発明を実施するための形態】
【００１６】
例示的な実施の形態を詳しく説明し、その例を添付図面に示す。後述する説明は、添付図面を参照し、異なる図の同じ番号は、特段の説明がない限り同じ構成要素又は類似の構成要素を表す。本発明に一致する例示的な実施の形態の上述した説明で示した実現は、本発明に一致する全ての実現を表さない。本発明に一致する例示的な実施の形態の上述した説明で示した実現は、本発明に関連した態様に一致するシステム及び方法の例に過ぎない。
【００１７】
実際の適用において、一部の商品は、次の特徴を有する。同じブランドの同じシリーズの製品は、色、パターン、包装容積（ｐａｃｋａｇｅ  ｖｏｌｕｍｅ）、ユニット、風味、香り等のような特質（ｄｉｍｅｎｓｉｏｎｓ）の種々の属性値を有することがある。特質は様相（ａｓｐｅｃｔ）、特徴（ｆｅａｔｕｒｅ）、特性（ｃｈａｒａｃｔｅｒｉｓｔｉｃ）等を意味することができる。例えば、あるブランドのポテトチップスの所定のコレクションは、オリジナル、スパイシー及びトマトのような異なる風味を含む。あるブランドの洗濯洗剤のコレクションは、ラベンダー及びバニラのような異なる芳香を含む。あるブランドのティッシュペーパーは、小さい個包装（ｓｍａｌｌ  ｉｎｄｉｖｉｄｕａｌ  ｐａｃｋｓ）、１２箱及び２４箱のような異なるパッケージサイズを含む。
【００１８】
既存の技術において、同じコレクションであるが一部の属性値が異なる品物又は商品の間の関係を説明するために、これらの品物又は商品は、通常、同じ商品として組み合わされるとともに分類される。すなわち、異なる属性値を有する種々の商品は、商品リストウェブページにおいて一つの商品として表される。顧客は、リストから商品を選択し、商品の特定パラメータ（ｓｐｅｃｉｆｉｃａｔｉｏｎ  ｐａｒａｍｅｔｅｒ）のような種々の特定の属性（ｓｐｅｃｉｆｉｃ  ａｔｔｒｉｂｕｔｅｓ）に関連したオプションを見るために商品の詳細ウェブページ（ｄｅｔａｉｌｓ  ｗｅｂｐａｇｅ）に入り、その後、選択又はそれ以外によって顧客が実際に買う必要がある最小在庫管理単位（ＳＫＵ）を決定する必要がある。本開示のウェブページを、コンピュータ又は携帯電話のような端末装置のプログラム、アプリケーション等によって表してもよい。
【００１９】
この方法はシステムリソースをある程度削減することができるが、顧客が十分に直感的に理解できない。特に「Ｔｍａｌｌ  スーパーマーケット」のようなウェブページに対して、この方法は、品物が豊富であることを反映することができず、スーパーマーケットの実際の買い物体験をまねることができない。それに対し、コンピュータにつながっていない実際のスーパーマーケットにおいて、異なる風味、芳香及び仕様の同じシリーズの品物を棚に並べて配置することができる。これによって、買い物客が一目で商品の種々の特定の属性値を知ることができ、買い物客が生活必需品及び食品を購入するのを更に容易にする。この観点から、本開示の更に都合のよい実施の形態において、物理的なスーパーマーケットでの買い物により近い体験をするとともに商品情報の有効利用を向上させるために、リストウェブページの商品の表現及び提示を向上させる。
【００２０】
一部の実施の形態において、先ず、予め決定された特質の異なる属性値を有する品物を、異なるフロントエンド商品として発行してもよい。予め決定された特質は、主に、色属性、包装容積特質等以外の知覚属性特質を含んでもよい。例えば、あるブランドのポテトチップスのコレクションが三つの異なる風味：オリジナル、スパイシー及びトマトを含む場合、これらを三つの独立した商品として発行してもよい。これらの商品がウェブページに提示されるとき、特定の情報提示エリア（又は位置）は、予め決定されてもよく、クロスバー等の形状であってもよく、商品の要約情報を提示する共通情報提示エリア（又は位置）のサイズより大きいサイズを有してもよい。同じブランドであるが予め決定された特質の属性値が異なる同じコレクションの商品を、特定の情報提示エリア（又は位置）に提示することができる。
【００２１】
一部の実施の形態において、商品情報を提供する方法を開示する。方法を、専用サーバ、例えば、図５を参照しながら後に説明するシステム５００によって実現してもよい。図１は、本開示の例示的な実施の形態に一致する商品情報を提供する方法１００を示すフローチャートである。方法１００は、次のステップを含んでもよく、その一部をオプションとしてもよい。
【００２２】
Ｓ１０１：サーバは、ウェブページアクセス要求を受け取る。
【００２３】
Ｓ１０２：サーバは、受け取ったウェブページアクセス要求に基づく対象のウェブページを提供し、対象のウェブページは、同じ商品群の少なくとも二つの商品についての情報を提示する対象情報提示位置を含み、商品群は、予め決定された特質の属性値が異なる少なくとも二つの同様な商品を含む。対象のウェブページは、商品リストウェブページ、例えば、「Ｔｍａｌｌスーパーマーケット」の「輸入品」を含んでもよい。
【００２４】
用語「同様な商品」は、現在の商品と同じコレクション（又は、タイプ、ジャンル、分類、種類等）に属するが知覚属性値が現在の商品と異なる商品、例えば、同じコレクションであるが異なる風味を有するポテトチップスを意味する。代替的に、「同様な商品」は、現在の商品と同じカテゴリーに属するが知覚属性値等が現在の商品と異なる商品を意味する。例えば、図２は、ウェブページの二つの情報提示位置を示し、この場合、同じコレクションであるが異なる風味のポテトチップスが一方の提示位置に提示され、同じブランドであるが包装容積が異なるティッシュペーパーが他方の提示位置に提示される。
【００２５】
情報提示位置は、バー形状エリアのようなエリアであってもよく、各々が商品群の一つの商品の要約情報を提示する複数の情報提示サブ位置を含んでもよい。商品群が多数の商品を含む場合に商品が同じ情報提示位置に提示されるとき、一部の商品が現在のスクリーンに出現しないことがある。したがって、情報提示位置を、スライド操作を受け入れるように更に設計してもよい。このようにして、初期状態において、商品群の一部の商品を提示することができ、スライド操作の後、商品群の更に多くの商品を情報提示位置に提示することができる。
【００２６】
一部の実施の形態において、ウェブページの上述した特定情報提示位置を、ウェブページ作成工程において予め設計してもよい。情報提示位置に提示すべき特定商品を、種々の方法で決定してもよく、例えば、ウェブページデザイナーによって手作業で設定してもよい又はサーバによって動的に決定してもよい。提示すべき特定商品を動的に決定する複数の方法が存在する。例えば、一つの方法において、ステップＳ１０２は、次のサブステップを含んでもよい。
【００２７】
ステップ１：少なくとも一つの商品群を格納するための商品情報データベースを作成するとともに使用し、商品群は、予め決定された特質の属性値のみが異なる少なくとも二つの商品を含む。
【００２８】
データベースを作成する複数の方法が存在してもよい。例えば、データベースは手作業で作成される又はデータベースはサーバによって自動的に作成される。データベースを自動的に作成する例を、ステップＳ３０２の後に説明される実施の形態を参照しながら後に説明する。
【００２９】
ステップ２：ウェブページ（例えば、対象のウェブページ）を提示する要求の受け取りに応答して、対象のウェブページの対象情報提示位置に関連した対象商品群を決定する。
【００３０】
対象のウェブページのウェブページデータが予め編集された場合、サーバは、編集されたウェブページデータを直接返すことができる。しかしながら、実際の適用において、ウェブページコンテンツの動的な更新を実現するために、対象のウェブページの特定情報提示位置を対象商品群の選択規則に関連させてもよい。このようにして、サーバは、デザイナーが対象商品群を手作業で設定することを必要とせずに規則に従って対象商品群を選択することができる。複数の選択規則が存在してもよい。例えば、情報提示位置を、あるカテゴリーにある最高売上高を有する商品群に関連させてもよい又は特定のカテゴリーにある宣伝活動に関与する商品群に関連させてもよい。売上高データ及び宣伝活動状況のような情報を、他の関連データベースに問い合わせを行うことによって取得することができる。
【００３１】
ステップ３：対象商品群の商品の情報に従って対象のウェブページのウェブページデータを生成する。
【００３２】
対象情報提示位置に関連した商品群を決定するとともに商品情報データベースに従って商品群に含まれる商品を決定した後に、サーバは、ウェブページデータを生成するとともにウェブページデータをクライアントに返すことができる。
【００３３】
一部の実施の形態において、商品情報データベースは、商品群の名称と、各商品のタイトルの予め決定された特質の属性値を記述する対象テキストと、を更に格納してもよく、商品群の名称は、商品群の全ての商品のタイトルの同じ部分に従って決定される。対象情報提示位置は、商品群の名称を提示するための情報提示バーと、複数の情報提示サブ位置と、を含んでもよい。この場合、サーバは、対象商品群の名称と、商品に対応する対象テキストと、を商品情報データベースに従って更に決定してもよい。このようにして、商品群の名称を、情報提示位置に提示することができ、商品群の商品の表示画像（ｒｅｐｒｅｓｅｎｔａｔｉｖｅ  ｐｉｃｔｕｒｅｓ）を情報提示サブ位置に提示するときに、対象テキストのみをタイトルとして提示してもよい。
【００３４】
予め決定された特質は、色属性又は包装容積特質以外の知覚属性特質を含んでもよい。予め決定された特質が色属性以外の知覚属性特質であるとき、商品情報データベースは、商品群の商品の識別子、対象テキスト及び提示色の対応関係を更に格納してもよく、対象テキストは、商品のタイトルの対象の色属性以外の知覚属性値を記述し、提示色は、対象の色属性以外の知覚属性値を表す。この場合、サーバは、対象テキストと、対象商品群の各商品に対応する提示色と、を更に決定してもよく、したがって、同じ商品群の商品を提示するときに、クライアントは、異なる対象の色属性以外の（一つ以上の）知覚属性値の商品に対応する対象テキストを異なる提示色で提示する。
【００３５】
一部の実施の形態において、商品情報を提供する方法を開示する。方法を、クライアント（クライアント端末装置）、例えば、図６を参照しながら後に説明するシステム６００によって実現してもよい。図３は、本開示の例示的な実施の形態に一致する商品情報を提供する方法３００を示すフローチャートである。方法３００は、次のステップを含んでもよく、その一部をオプションとしてもよい。
【００３６】
Ｓ３０１：クライアントは、ウェブページアクセス要求をサーバに送り出す。
【００３７】
Ｓ３０２：クライアントがサーバによって提供されたウェブページデータを受け取るとともに対象のウェブページを提示し、対象のウェブページは、対象情報提示位置を含み、対象情報提示位置は、同じ商品群の少なくとも二つの商品についての情報を提示し、商品群は、予め決定された特質の属性値が異なる少なくとも二つの商品を含む。
【００３８】
一実施の形態において、商品情報データベースをサーバに予め格納してもよく、商品情報データベースは、少なくとも一つの商品群を格納し、商品群は、予め決定された条件を満たす少なくとも二つの商品を備え、少なくとも二つの商品は、予め決定された特質の属性値のみが異なる。サーバは、要求を受け取った後に、先ず、対象のウェブページの対象情報提示位置に関連した対象商品群を決定し、その後、対象商品群に含まれる商品についての情報に従って対象のウェブページのウェブページデータを生成するとともにウェブページデータを戻してもよい。
【００３９】
方法３００について上述した方法１００を参照することができ、ここでは詳細を繰り返さない。
【００４０】
上述した商品情報データベースを作成する複数の方法が存在してもよい。例えば、商品情報データベースを、少数の商品に対して手作業で作成してもよい。しかしながら、多数の商品に対して、手作業の作成方法は、非効率であることがあり、多くの人手及び時間を要することがある。この観点から、本開示の実施の形態は、サーバが自動的に商品情報データベースを作成する実現方法も提供する。データベースを作成する方法を後に説明する。
【００４１】
商品情報データベースを確立する方法を開示する。この方法において、予め決定された特質の異なる属性値を有する品物を、異なる商品としてウェブサイトのフロントエンド（ｗｅｂｓｉｔｅ  ｆｒｏｎｔ−ｅｎｄ）において発行してもよい。予め決定された特質は、色属性又は包装容積特質以外の知覚属性を含んでもよい。上記の例で説明したように、あるブランドのポテトチップスのコレクションが三つの異なる風味：オリジナル、スパイシー及びトマトを含む場合、これらを三つの独立した商品として発行してもよい。他の例として、あるブランドのインスタント麺のコレクションが包装容積特質の三つの異なる包装容積：小さい個包装、５個及び１２個を含む場合、これらを三つの独立した商品として発行してもよい。
【００４２】
商品が発行されるとき、タイトル、表示画像、詳細な情報等を各商品に対して構成してもよい。独立した商品は予め決定された特質の属性値のみが異なるとともに他の属性が同じであるので、予め決定された特質の属性値の記述情報を各商品のタイトルに追加してもよく、したがって、ユーザは、商品のタイトルに従って商品の属性値を区別することができる。タイトルは、上述した属性値の他に、原産地、商品名、仕様等を更に含んでもよい。上述した例のオリジナル風味のポテトチップスについては、タイトルは、「ｘｘブランドの手作りのポテトチップス  １５０ｇ  オリジナル風味」としてもよい。さらに、ポテトチップスのコレクションは、スモークレッドペッパー風味も含んでもよい。この場合、他の発行された商品のタイトルを「ｘｘブランドの手作りのポテトチップス  １５０ｇ  スモークレッドペッパー風味」を含んでもよい。上述した例の小さい個包装のインスタント麺については、タイトルを「ｘｘブランドの味噌味の麺  ２５０ｇ×１個」としてもよく、５個のインスタント麺については、対応するタイトルを「ｘｘブランドの味噌味の麺  ２５０ｇ×５個」としてもよい。
【００４３】
上述したように、商品のタイトルは、予め決定された特質の属性値の記述情報が異なるとともにそれ以外が同じであってもよい。さらに、タイトルの属性値を記述するためにユーザによって用いられるテキストを、スペースのようなセパレータによって他のテキストコンテンツから離間することができる。このようにして、同じ商品群に分類された商品を、異なる商品のタイトルに従って便利なやり方で識別することができる。したがって、タイトルを構成する工程において、構成を担当する人々は、上述した規則に従って構成を行うことを要求されない。
【００４４】
商品が発行されるとき、対応する表示画像を、異なる属性値を有する商品に対してそれぞれ構成してもよい。表示画像は、品物の包装を提示してもよい。異なる属性値を有する種々の品物が製造者によって製造されるとき、包装のデザインにある相関がある。例えば、上述した例の種々の風味のポテトチップスの包装は、主に灰色であり、これらの風味の差は、包装の小さいエリアの色によって反映される。したがって、商品の表示画像を、画素の特徴（ｐｉｘｅｌ  ｆｅａｔｕｒｅｓ）に関して互いに関連させることができる。
【００４５】
これに基づいて、一部の実施の形態において、商品情報を提供する方法を開示する。方法を、クライアント又はサーバ、例えば、図７を参照しながら後に説明するシステム７００によって実現してもよい。図４は、本開示の例示的な実施の形態に一致する商品情報を提供する方法４００を示すフローチャートである。方法４００は、次のステップを含んでもよく、その一部をオプションとしてもよい。
【００４６】
Ｓ４０１：予め決定された特質の異なる属性値を有する品物を異なるフロントエンド商品として発行する。フロントエンド商品は、ウェブサイトのフロントエンドにおいて発行された商品を意味する。
【００４７】
Ｓ４０２：商品から、予め決定された条件を満たす少なくとも二つの商品を備える商品群を決定し、同じ商品群の少なくとも二つの商品は、予め決定された特質の属性値のみが異なる。
【００４８】
予め決定された特質の異なる属性値を有する品物が異なる商品として発行されるとき、各々が少なくとも二つの商品からなる商品群を商品において決定することができる。例えば、予め決定された特質の属性値のみが異なる少なくとも二つの商品を商品群に分類することができる。このようにして、ウェブページの対象情報提示位置を商品群に関連させることができ、かつ、商品群の商品を同じ情報提示位置に提示することができる。
【００４９】
商品群を決定する複数の方法が存在してもよい。例えば、一つの方法において、意味解析のような動作を、予め決定された特質の属性値のみが異なるとともに他の属性が同じである商品を決定するために発行された商品の詳細な情報に対して実行することができる。代替的には、上述したように、商品のタイトルを、予め決定された規則に従って設定してもよい。このようにして、先ず、各商品の予め決定された特質の属性値情報を、商品のタイトルから抽出することができ、その後、予め決定された特質の属性値情報以外のタイトルの残りの部分を比較することができ、同じ残りの部分を有する少なくとも二つの商品を、予め決定された条件を満たすものとして決定することができる。
【００５０】
予め決定された特質の属性値情報をタイトルから抽出する複数の方法が存在してもよい。例えば、タイトルが文字列の形で格納される場合、先ず、予め決定されたキーワードを用いて決定を行ってもよい。例えば、予め決定された属性が色属性以外の知覚属性特質となりうる又は包装容積特質となりうるので、予め決定されたキーワードを用いてタイトルの特定の属性値を記述することができる。例えば、色属性以外の知覚属性値を「ｘｘ風味」と表現することができ、包装容積特質の属性値を「ｘｘ個」、「ｘｘｇ」等と表現することができる。したがって、「風味」、「個」、「ｇ」等をキーワードとして用いてもよい。商品のタイトルがこれらのキーワードを含む場合、タイトルが予め決定された特質の属性を持つことを示すことができる。この場合、特定の属性値をタイトルのキーワードの前の文字から抽出することができる。例えば、構成されたタイトルの属性値を記述するテキストは、スペースのようなセパレータによってタイトルの他のコンテンツから離間され、検索を、キーワードから開始してタイトルの先頭に向かう方向に、セパレータが出現するまで行うことができ、セパレータとキーワードの間の（キーワードを含む）部分を、予め決定された特質の特定の属性値を表す対象テキストと決定することができる。タイトルから対象テキストを除外することによって取得された残りのテキストが同じである場合、対応する商品を同じ商品群に分類することができる。
【００５１】
複数の注釈フィールドの属性編集結果を用いてタイトルを格納した場合、サーバは、注釈フィールドのそれぞれに対応する属性特質を直接問い合わせることがき、対象属性の属性値を抽出することができ、他の注釈フィールドのコンテンツを属性値以外のタイトルコンテンツとして決定することができ、かつ、商品間の比較を行うことができる。これによって、処理効率を向上させることができる。
【００５２】
Ｓ４０３：商品情報データベースを生成するために各商品群に含まれる商品の識別情報を格納し、商品情報リストをウェブページに提示するときに同じ商品群の商品を同じ情報提示位置に提示させる。
【００５３】
少なくとも一つの商品群を決定した後、各商品群に含まれる商品の識別情報を格納してもよい。例えば、格納されるコンテンツを、表１に示すようにしてもよい。
【００５４】
【表１】
2018538636.tif 000003
【００５５】
このようにして、商品情報リストをウェブページに提示するときに、同じ商品群商品を同じ商品提示位置に提示することができる。
【００５６】
同じ商品群に対して、商品群の名称としての役割を果たすために商品群の商品のタイトルの識別部を抽出するとともに商品情報データベースに格納してもよい。さらに、各商品のタイトルの予め決定された特質の属性値を表す対象テキストもデータベースに格納してもよい。このようにして、商品群の商品が情報提示位置に提示されるときに、商品群の名称を最初に（ｉｎ  ｔｈｅ  ｆｉｒｓｔ  ｌｉｎｅ）に提示してもよい。商品のタイトルが提示されるとき、対象特質の属性値を表す対象テキストのみを表示してもよい。例えば、図２において、最初の情報提示位置に提示される商品群の名称を「ｘｘブランドのポテトチップス  １５０ｇ」とし、商品のタイトルを情報提示位置に提示するときに、対象テキスト「オリジナル風味」及び「スモークレッドペッパー風味」のみを提示する。この場合、商品情報データベースに格納されるコンテンツを、以下の表２に示すようにしてもよい。
【００５７】
【表２】
2018538636.tif 000004
【００５８】
さらに、色属性以外の知覚属性を有する商品群に対して、通常、特質の属性値を表すために特定の風味、芳香等を各商品のタイトルに用いることができる。本開示の実施の形態において、提示される情報が色属性以外の知覚属性を更に直感的に表すことができるようにするために、色属性以外の特定の知覚属性値を表す対象テキストを提示色で更に提示することができ、この場合、提示色は、色属性以外の特定の知覚属性値に対応する。例えば、スモークレッドペッパー風味のポテトチップスに対して、対象テキスト「スモークレッドペッパー風味」を赤色で提示してもよく、本例の対象テキストは、商品の色属性を表さない。
【００５９】
したがって、商品情報データベースが作成されるときに、商品の識別子、対象テキスト及び提示色の間の対応関係を商品情報データベースに格納してもよく、対象テキストは、タイトルの色属性以外の知覚属性値を表し、提示色は、色属性以外の知覚属性値を表す。提示色を決定する複数の方法が存在してもよい。例えば、色属性以外の知覚属性値と予め決定された色の間の種々のあり得る対応関係を予め格納してもよい。商品の対象テキストの提示色を決定するために、先ず、対象の色属性以外の知覚属性値を、商品のタイトルの記述情報から抽出することができ、その後、対応する提示色を、対応関係を問い合わせることによって決定することができる。代替的には、商品の表示画像が商品の包装の画像であってもよく、包装の色を色属性以外の知覚属性値に関連させてもよいので、提示色を、商品の表示画像から抽出することができる。ここでは列挙しない他の実現方法が存在する。上述したように、商品情報データベースに格納される情報を、以下の表３に示すようにしてもよい。
【００６０】
【表３】
2018538636.tif 000005
【００６１】
Ｒ，Ｇ及びＢは、赤色成分、緑色成分及び青色成分をそれぞれ表す。
【００６２】
商品情報データベースが一旦作成されると、ウェブページデータを提供するためにデータベースを用いることができる。一例において、情報提示位置と商品群の間の対応関係をウェブページデザイナーによって確立してもよく、サーバは、対象のウェブページを提示する要求を受け取った後に、デザインされたウェブページデータをクライアントに直接返すことができる。代替的に、サーバは、ウェブページデータを動的に生成するとともにウェブページデータをクライアントに返すことができる。
【００６３】
商品情報を提示するウェブページも開示する。ウェブページは、対象情報提示位置を含んでもよく、対象情報提示位置は、同じ商品群の少なくとも二つの商品についての情報を提示し、商品群は、予め決定された特質の属性値が異なる二つの同様な商品を含む。
【００６４】
対象情報提示位置は、商品群の名称を提示する情報提示バーと、複数の情報提示サブバーと、を含んでもよく、商品情報の名称は、商品群の全ての商品のタイトルの同じ部分に従って決定される。情報提示サブ位置に提示されるコンテンツは、各商品に対応するとともに予め決定された特質の属性値を記述する対象テキストを含んでもよい。
【００６５】
予め決定された特質は、色属性以外の知覚属性特質を含んでもよい。商品群の少なくとも二つの商品についての情報が提示されるとき、各商品のタイトル予め決定された特質の属性値を記述する対象テキストは、予め決定された提示色で提示され、提示色は、対象の色属性以外の知覚属性値を表す。
【００６６】
要約すると、本願の実施の形態によれば、予め決定された特質の異なる属性値を有する品物を、異なる商品として発行することができる。予め決定された特質の属性値のみが異なるが他の属性が同様である商品を商品群に分類することができ、同じ商品群の商品を同じ情報提示位置に提示することができる。提示方法は、品物の属性値が豊富であることを更に直感的に反映することができ、物理的なスーパーマーケットの商品の提示モードに更に似るようになる。この方法は、物理的なスーパーマーケットでの買い物により近い体験をユーザに与えることができ、購買活動を促進することができ、かつ、ウェブページに提示された情報の有効利用を促進することができる。
【００６７】
相応するように、商品情報を提供する装置を開示する。装置を、予め決定された特質の異なる属性値を有する品物を異なるフロントエンド商品として発行するサーバとしてもよい。図５は、本開示の例示的な実施の形態に一致する商品情報を提供するシステム５００を示すブロック図である。システム５００は、以下の構成要素を含んでもよく、その一部をオプションとしてもよい。図５の構成要素を異なる順番で配置してもよい。システム５００は、例えば、処理装置５１０及びメモリ５１１を含んでもよい。メモリ５１１を、処理装置５１０によって実行されるときにシステム５００の一つ以上の構成要素に本開示において説明したステップ及び方法を実行させる命令を格納する非一時的コンピュータ可読記憶媒体としてもよい。システム５００は、処理装置５１０及びメモリ５１１によって実現される機能モジュールを含んでもよく、機能モジュールは、例えば、要求受取部５０１及びウェブページデータ提供部５０２を含む。要求受取部５０１及びウェブページデータ提供部５０２は、メモリ５１１に格納されたソフトウェアコードのブロックを意味する又はメモリ５１１に格納されたソフトウェアコードのブロックに対応する。処理装置５１０は、ソフトウェアコードのブロックを実行するとともに機能モジュールに対応する機能を実現することができる。
【００６８】
要求受取部５０１は、対象のウェブページを提示する要求を受け取るように構成されてもよい。
【００６９】
ウェブページデータ提供部５０２は、対象のウェブページを提供し、対象のウェブページは、同じ商品群の少なくとも二つの商品についての情報を提示する対象情報提示位置を含み、商品群は、予め決定された特質の属性値が異なる少なくとも二つの同様な商品を含むように構成されてもよい。
【００７０】
一部の実施の形態において、ウェブページデータ提供部５０２は、
予め決定された特質の属性値のみが異なる少なくとも二つの商品を含む少なくとも一つの商品群を格納するために商品情報データベースを用いるように構成されたデータベース格納サブユニット５０２１と、
対象のウェブページを提示するための要求の受信に応答して、対象のウェブページの対象情報提示位置に関連した対象商品群を決定するように構成された対象商品群決定サブユニット５０２２と、
対象商品群の商品についての情報に従って対象のウェブページのウェブページデータを生成するように構成されたウェブページデータ生成サブユニット５０２３と、
を含んでもよい。
【００７１】
商品情報データベースは、商品群の名称と、各商品のタイトルの予め決定された特質の属性値を記述する対象テキストと、を更に格納してもよく、商品群の名称を、商品群の全ての商品のタイトルの同じ部分に従って決定する。対象情報提示位置は、名称提示バーと、複数の情報提示サブ位置と、を含んでもよい。
【００７２】
ウェブページデータ提供部５０２は、
対象商品の名称と、各物品に対応する対象テキストと、を決定するように構成された物品群名決定サブユニット５０２４と、
対象情報提示位置の情報提示バーの対象商品群の名称を提示するように構成された群名提示サブユニット５０２５と、
情報提示サブ位置において、商品群の商品の表示画像と、対象テキストを含むタイトルと、を提示するように構成されたタイトル提示サブユニット５０２６と、
を更に含んでもよい。
【００７３】
予め決定された特質は、色属性以外の知覚属性特質を含んでもよく、商品情報データベースは、商品群の各商品の識別子、テキスト及び色の間の対応関係を更に格納し、テキストは、商品のタイトルの知覚属性値を記述し、色は、知覚属性値を表す。
【００７４】
ウェブページデータ提供部５０２は、
対象商品群の各商品に対応する提示色を決定するように構成された色情報決定サブユニット５０２７と、
情報提示サブ位置において、対応する提示色の対象商品を提示するように構成された色提示サブユニット５０２８と、
を更に含んでもよい。
【００７５】
予め決定された特質は、包装容積特質を含んでもよい。
【００７６】
相応するように、商品情報を提供する装置を開示する。装置を、クライアントとしてもよい。図６は、本開示の例示的な実施の形態に一致する商品情報を提供するシステム６００を示すブロック図である。システム６００は、以下の構成要素を含んでもよく、その一部をオプションとしてもよい。図６の構成要素を異なる順番で配置してもよい。システム６００は、例えば、処理装置６１０及びメモリ６１１を含んでもよい。メモリ６１１を、処理装置６１０によって実行されるときにシステム６００の一つ以上の構成要素に本開示において説明したステップ及び方法を実行させる命令を格納する非一時的コンピュータ可読記憶媒体としてもよい。システム６００は、処理装置６１０及びメモリ６１１によって実現される機能モジュールを含んでもよく、機能モジュールは、例えば、要求送出部６０１及びウェブページデータ受取部６０２を含む。要求送出部６０１及びウェブページデータ受取部６０２は、メモリ６１１に格納されたソフトウェアコードのブロックを意味する又はメモリ６１１に格納されたソフトウェアコードのブロックに対応する。処理装置６１０は、ソフトウェアコードのブロックを実行するとともに機能モジュールに対応する機能を実現することができる。
【００７７】
要求送出部６０１は、ウェブページアクセス要求をサーバに送り出すように構成されてもよい。
【００７８】
ウェブページデータ受取部６０２は、サーバからウェブページデータを受け取るとともに受け取ったウェブページデータに基づく対象のウェブページを提示し、対象のウェブページは、対象情報提示位置を含み、対象情報提示位置は、同じ商品群の少なくとも二つの商品についての情報を提示し、商品群は、予め決定された特質の属性値が異なる少なくとも二つの商品を含むように構成されてもよい。
【００７９】
一部の実施の形態において、商品情報データベースをサーバに予め格納してもよく、商品情報データベースは、少なくとも一つの商品群を格納し、商品群は、予め決定された条件を満たす少なくとも二つの商品を含み、少なくとも二つの商品は、予め決定された特質の属性値のみが異なる。サーバは、ウェブページアクセス要求を受け取った後に、対象のウェブページの対象情報提示位置に関連した対象情報群を決定し、対象商品群に含まれる商品についての情報に従って対象のウェブページのウェブページデータを生成し、ウェブページデータを返す。
【００８０】
相応するように、商品情報データベースを確立する装置であって、予め決定された特質の異なる属性値を有する品物を異なるフロントエンド商品として発行する装置を開示する。図７は、本開示の例示的な実施の形態に一致する商品情報を提供するシステム７００を示すブロック図である。システム７００は、以下の構成要素を含んでもよく、その一部をオプションとしてもよい。図７の構成要素を異なる順番で配置してもよい。システム７００は、例えば、処理装置７１０及びメモリ７１１を含んでもよい。メモリ７１１を、処理装置７１０によって実行されるときにシステム７００の一つ以上の構成要素に本開示において説明したステップ及び方法を実行させる命令を格納する非一時的コンピュータ可読記憶媒体としてもよい。システム７００は、処理装置７１０及びメモリ７１１によって実現される機能モジュールを含んでもよく、機能モジュールは、例えば、商品発行部７０１、商品群決定部７０２、情報格納部７０３、知覚属性情報決定部７０４、提示色決定部７０５、色情報格納部７０６、商品群名決定部７０７及び商品群名格納部７０８を含む。商品発行部７０１、商品群決定部７０２、情報格納部７０３、知覚属性情報決定部７０４、提示色決定部７０５、色情報格納部７０６、商品群名決定部７０７及び商品群名格納部７０８は、メモリ７１１に格納されたソフトウェアコードのブロックを意味する又はメモリ７１１に格納されたソフトウェアコードのブロックに対応する。処理装置７１０は、ソフトウェアコードのブロックを実行するとともに機能モジュールに対応する機能を実現することができる。
【００８１】
商品発行部７０１は、予め決定された特質の異なる属性値を有する品物を異なるフロントエンド商品として発行するように構成されてもよい。
【００８２】
商品群決定部７０２は、商品から、予め決定された条件を満たす少なくとも二つの商品を備える商品群を決定し、同じ商品群の少なくとも二つの商品は、予め決定された特質の属性値が異なるように構成されてもよい。
【００８３】
情報格納部７０３は、商品情報データベースを生成するために各商品群の商品の識別情報を格納し、商品情報リストをウェブページに提示するときに同じ商品群の商品を同じ情報提示位置に提示させるように構成されてもよい。
【００８４】
予め決定された特質は、色属性以外の知覚属性特質を含んでもよい。
【００８５】
この場合、システム７００は、
商品の知覚属性値と、商品のタイトルの知覚属性値を記述する対象テキストと、を決定するように構成された知覚属性情報決定部７０４と、
対象の色属性以外の知覚属性値に対応する提示色を決定するように構成された提示色決定部７０５と、
商品の識別子、対象テキスト及び提示色の間の対応関係を、商品情報データベースに格納し、同じ商品群を提示するときに異なる対象の提示色属性以外の知覚属性値の商品に対応する対象テキストを異なる提示色で提示するように構成された色情報格納部７０６と、
を更に含んでもよい。
【００８６】
また、予め決定された特質は、包装容積特質を更に含んでもよい。
【００８７】
商品群決定部７０２は、
商品のタイトルから、予め決定された特質の各商品の属性値を抽出するように構成された情報抽出サブユニット７０２１と、
予め決定された特質の属性値の情報を除去した後の商品のタイトルの残りの部分を比較するとともに商品のタイトルの残りの部分が同じである少なくとも二つの商品を予め決定された条件を満たすものとして決定するように構成された比較サブユニット７０２２と、
を含んでもよい。
【００８８】
また、システム７００は、
商品群の全ての商品のタイトルの同じ部分に従って商品群の名称を決定するように構成された商品群名決定部７０７と、
商品群の名称と、各商品のタイトルの予め決定された特質の属性値を記述する対象テキストと、を商品情報データベースに格納し、同じ商品群の商品を提示するときに商品群の名称を提示するとともに異なる商品を対象テキストによって区別するように構成された商品群名格納部７０８と、
を更に含んでもよい。
【００８９】
本願の実施の形態によれば、予め決定された特質の異なる属性値を有する品物を異なる商品として発行することができる。予め決定された特質の属性値のみが異なるとともに他の属性が同じである商品を一つの商品群に分類することができる。同じ商品群の商品を同じ情報提示位置に提示することができる。この提示方法は、品物の属性値が豊富であることを更に直感的に反映することができ、物理的なスーパーマーケットの品物の提示モードに更に似るようになる。この方法は、物理的なスーパーマーケットでの買い物により近い体験をユーザに与えることができ、購買活動を促進することができ、かつ、ウェブページに提示された情報の有効利用を促進することができる。
【００９０】
上述した実施の形態の説明によれば、本願をソフトウェア及び必要な一般的なハードウェアプラットフォーム（ｎｅｃｅｓｓａｒｙ  ｇｅｎｅｒａｌ  ｈａｒｄｗａｒｅ  ｐｌａｔｆｏｒｍ）によって実現できることは当業者に明らかである。そのような理解に基づいて、本開示の技術的解決法又は従来技術に寄与する部分をソフトウェア製品の形態で十分に実現することができる。コンピュータソフトウェア製品は、ＲＯＭ／ＲＡＭ、磁気ディスク又は光ディスクのような記憶媒体に記憶されてもよく、本開示の実施の形態又は本開示の実施の形態の一部で説明した方法を実行するために（パーソナルコンピュータ、サーバ、ネットワーク装置等としてもよい）コンピュータ装置に命令を行う複数の命令を含む。
【００９１】
明細書の実施の形態を進歩的な方法で説明することができる。実施の形態の同じ部分又は同様な部分については、互いに参照されたい。各実施の形態は、他の実施の形態との差に重点を置いている。例えば、システム又はシステムの実施の形態は、方法の実施の形態と同様であり、したがって、簡潔に説明され、関連の部分については、（一つ以上の）方法の実施の形態の説明の部分を参照されたい。上述したシステム又はシステムの実施の形態は、単なる例示であり、個別のパーツとして説明したユニットは、物理的に分離していてもよく又は物理的に分離していなくてもよく、ユニットとして示したパーツは、物理的なユニットであってもよく又は物理的なユニットでなくてもよく、一つの位置に配置されてもよい又は複数のネットワークユニット（ｎｅｔｗｏｒｋ  ｕｎｉｔ）に分配されてもよい。モジュールの一部又は全てを、実施の形態の解決の目的を実現するための実際のニーズに従って選択してもよい。当業者は、創造的な活動を行うことなく実施の形態を理解するとともに実現することができる。
【００９２】
本開示によって提供される商品情報を提供する方法及び装置を詳しく上述した。例は、本開示の原理及び実現を詳しく述べるために明細書で用いた。しかしながら、上述した実施の形態の説明は、本開示の方法及び核となる概念の理解を用意するために用いたに過ぎない。当業者は、本開示の概念に従って特定の実現及び用途の範囲を変更することができる。したがって、明細書の内容は、本開示を制限するものと解釈されるべきでない。
【００９３】
開示の他の態様は、実行するときに上述した方法を一つ以上のプロセッサに実施させる命令を格納する非一時コンピュータ可読記憶媒体を対象とする。コンピュータ可読記憶媒体は、揮発性の、不揮発性の、磁気的な、半導体の、テープ式の、光学的な、取り外しができる、取り外しができない又は他のタイプのコンピュータ可読記憶媒体又はコンピュータ可読記憶装置を含んでもよい。例えば、コンピュータ可読記憶媒体を、上述したように格納されるコンピュータ命令を有する記憶装置又はメモリモジュールとしてもよい。一部の実施の形態において、コンピュータ可読記憶媒体を、格納されるコンピュータ命令を有するディスク又はフラッシュドライブとしてもよい。
【００９４】
当業者は、ここの開示を参照しながら説明した種々の例示的な論理ブロック、モジュール、回路及びアルゴリズムステップを専用電子ハードウェア、コンピュータソフトウェア又は専用電子ハードウェアとコンピュータソフトウェアの組合せとして実現できることを理解することができる。例えば、モジュール／装置を、モジュール／装置の特殊機能を実現するためにコンピュータ可読記憶媒体に格納されたソフトウェア命令を実行する一つ以上の専用プロセッサになる一つ以上のプロセッサによって実現してもよい。
【００９５】
添付図面のフローチャート及びブロック図は、本発明の複数の実施の形態によるシステム及び方法のあり得る実現のシステムアーキテクチャ、機能及び動作を示す。これに関して、フローチャート又はブロック図の各ブロックは、一つのモジュール、一つのプログラムセグメント又はコードの一部を表してもよく、一つのモジュール、一つのプログラムセグメント又はコードの一部は、特定の論理機能を実現するのに用いられる一つ以上の実行可能命令を含む。一部の代替的な実現においてブロックに示した機能が図面に示した順番とは異なる順番で生じてもよいことに留意されたい。例えば、二つの連続するブロックを、実際には略並列に実行することができ、時々、二つの連続するブロックを、包含される機能に応じて逆の順番で実行してもよい。ブロック図及び／又はフローチャートの各ブロック並びにブロック図及び／又はフローチャートの組合せを、対応する機能又は動作を実行する専用ハードウェアベースのシステムによって実現してもよい又は専用ハードウェアとコンピュータ命令の組合せによって実現してもよい。
【００９６】
当業者によって理解できるように、本開示の実施の形態を、方法、システム又はコンピュータプログラム製品として実施することができる。したがって、本開示の実施の形態は、専用の構成要素が上述した機能を実現することができる完全にハードウェアの実施の形態の形、完全にソフトウェアの実施の形態の形又はソフトウェアとハードウェアを組み合わせる実施の形態の形をとってもよい。さらに、本開示の実施の形態は、コンピュータ可読プログラムコードを含む一つ以上の有体及び／又は非一時コンピュータ可読記憶媒体に組み込まれたコンピュータプログラム製品の形をとってもよい。非一時コンピュータ可読記憶媒体の一般的な形は、例えば、フロッピーディスク（登録商標）、フレキシブルディスク、ハードディスク、固体ドライブ、磁気テープ、他の任意の磁気データ記憶媒体、ＣＤ−ＲＯＭ、他の任意の光データ記憶媒体、孔のパターンを有する任意の物理的な媒体、ＲＡＭ，ＰＲＯＭ，ＥＥＰＲＯＭ，ＦＬＡＳＨ−ＥＥＰＲＯＭ、他の任意のフラッシュメモリ、ＮＶＲＡＭ、キャッシュ、レジスタ、他の任意のメモリチップ、カートリッジ及びこれらのネットワーク化したバージョンを含む。
【００９７】
本開示の実施の形態を、本開示の実施の形態による方法、装置（システム）及びコンピュータプログラム製品を参照しながら説明した。流れ図の各フロー及び／又はブロック図の各ブロック並びに流れ図のフローとブロック図のブロックの組合せをコンピュータプログラム命令によって実現できることを理解すべきである。これらのコンピュータプログラム命令を、専用マシンを生成するためにコンピュータのプロセッサ、組み込みプロセッサ又は他のプログラマブルデータ処理装置に供給してもよく、コンピュータのプロセッサ又は他のプログラマブルデータ処理装置を介して実行される命令は、流れ図の一つ以上のフロー及び／又はブロック図の一つ以上のブロックで特定される機能を実現する手段を作成する。
【００９８】
これらのコンピュータプログラム命令を、特定の方法で機能するためにコンピュータ又は他のプログラマブルデータ処理装置を指示することができるコンピュータ可読メモリに格納してもよく、コンピュータ可読メモリに格納された命令は、流れ図の一つ以上のフロー及び／又はブロック図の一つ以上のブロックで特定される機能を実現する命令手段を含む製品を作成する。
【００９９】
これらのコンピュータプログラム命令を、コンピュータによって実現される処理を行うよう一連の動作ステップをコンピュータ又は他のプログラマブル装置で実行させるためにコンピュータ又は他のプログラマブルデータ処理装置にロードしてもよく、（コンピュータ又は他のプログラマブル装置で実行される）命令は、流れ図の一つ以上のフロー及び／又はブロック図の一つ以上のブロックで特定される機能を実現するステップを提供する。典型的な形態において、コンピュータ装置は、一つ以上の中央処理装置（ＣＰＵ）入出力インタフェース、ネットワークインタフェース及びメモリを含む。メモリは、揮発性メモリ、ランダムアクセスメモリ（ＲＡＭ）、及び／又は、コンピュータ可読記憶媒体のリードオンリーメモリ（ＲＯＭ）又はフラッシュＲＡＭのような不揮発性メモリ等の形を含んでもよい。メモリは、コンピュータ可読記憶媒体の一例である。
【０１００】
コンピュータ可読記憶媒体は、プロセッサによって読み出し可能な情報又はデータを記憶することができる任意のタイプの物理メモリを意味する。したがって、コンピュータ可読記憶媒体は、ここで説明した実施の形態に一致するステップ又は段階を（一つ以上の）プロセッサによって実行させる命令を含む一つ以上にプロセッサにより実行される命令を格納してもよい。コンピュータ可読記憶媒体は、不揮発性媒体、揮発性媒体及び取り外しができない媒体を含み、情報の記憶を、任意の方法又は技術によって実現することができる。情報を、コンピュータ可読命令のモジュール、データ構造及びプログラム又は他のデータとしてもよい。非一時コンピュータ可読媒体の例は、相変化ランダムアクセスメモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、リードオンリーメモリ（ＲＯＭ）、電気的消去可能プログラマブルリードオンリーメモリ（ＥＥＰＲＯＭ）、フラッシュメモリ、他のメモリ技術、コンパクトディスクリードオンリーメモリ（ＣＤ−ＲＯＭ）、デジタル多用途ディスク（ＤＶＤ）、他の光記憶装置、カセットテープ、テープ、ディスク記憶装置、他の磁気記憶装置、キャッシュ、レジスタ、又は、コンピュータ装置によってアクセスすることができる情報を格納するために用いることができる他の任意の非伝送媒体（ｎｏｎ−ｔｒａｎｓｍｉｓｓｉｏｎ  ｍｅｄｉａ）を含むが、それに限定されない。コンピュータ可読記憶媒体は、非一時的であり、変調データ信号及び搬送波のような一時媒体を含まない。
【０１０１】
明細書は、商品情報を提供する方法、装置及びシステムを記載した。図示したステップを、示した例示的な実施の形態を説明するために設定し、進行中の技術開発が特定の機能が実行される方法を変えることを予測すべきである。したがって、これらの例を、ここでは説明のために提示し、限定のために提示しない。例えば、ここに開示したステップ又は工程は、記載した順番で実行されるものに限定されず、任意の順番で実行されてもよく、開示した実施の形態に一致する一部のステップを省略してもよい。さらに、機能的な構成要素の境界を、ここでは説明の便宜のために任意に規定した。特定の機能及びその関係が適切に実現される限りにおいて、代替的な境界を規定することができる。（ここに記載した等価物、拡張、変形、逸脱を含む）代替は、ここに含まれる教示に基づいて当業者に明らかになるであろう。そのような代替は、開示した実施の形態の範囲及び精神に含まれる。
【０１０２】
ここでは、開示した原理の例及び特徴を説明したが、変更、適合及び他の実現が開示した実施の形態の精神及び範囲を逸脱することなく可能である。また、単語「備える」、「有する」、「包含する」及び「含む」並びに他の同様な形式は、意味が等価であることを意図し、これらの単語のいずれか一つに続く一つ以上の項目は、そのような一つ以上の項目の完全なリストであることを意味せず、列挙された一つ以上の項目のみに限定されることを意味する。単数形（ｓｉｎｇｕｌａｒ  ｆｏｒｍｓ  “ａ”，“ａｎ”  ａｎｄ  “ｔｈｅ”）は、文脈が明確に指示しなければ複数の参照を含む。
【０１０３】
明らかなように、本発明は、上述するとともに添付図面を参照しながら説明した正確な構成に限定されず、種々の変更及び変形がその範囲を逸脱することなく可能である。発明の範囲が添付した特許請求の範囲によってのみ限定すべきであることを意図する。
【図１】
2018538636.tif 000006
【図２】
2018538636.tif 000007
【図３】
2018538636.tif 000008
【図４】
2018538636.tif 000009
【図５】
2018538636.tif 000010
【図６】
2018538636.tif 000011
【図７】
2018538636.tif 000012
【国際調査報告】
2018538636.tif 000013
2018538636.tif 000014
2018538636.tif 000015